(57)【要約】【課題】従来のナット本体の追い側の自由面に弾性体が取り付けられた緩み止めナットを改良し、より有効な緩み止め作用を発揮することができる緩み止めナット及びボルト・ナットの締結構造の提供を図る。【解決手段】ナット本体２１と、上記ナット本体２１に取り付けられた緩み止め用の弾性体３１とを備える。弾性体３１はねじ穴に突出する係合片を備える。係合片は、ねじ穴に螺合するボルト１１の雄ねじ２２に係合して弾性変形することにより、緩み止め作用を発揮する。ナット本体２１のねじ穴の座面側には無ねじ状の筒状部２３が形成され、この筒状部２３によって、締め付け時に生じるボルト１１の軸力と上記弾性体３１の弾性力とがナットの座面２４の外周側に分散させられる。【選択図】図１
0003163716.tif 000002
【実用新案登録請求の範囲】
【請求項１】
中央にねじ穴を有するナット本体と、上記ナット本体に取り付けられた緩み止め用の弾性体を備えた緩み止めナットにおいて、
上記ナット本体の追い側の自由面に上記弾性体が取り付けられたものであり、
上記弾性体は、上記ねじ穴に突出する係合片を備え、
上記係合片は、ねじ穴に螺合するボルトの雄ねじに係合して上記自由面から遠ざかる方向に弾性変形することにより、雄ねじに軸方向の弾性力を付加して緩み止め作用を発揮するものであり、
上記ねじ穴の座面側に無ねじ状の筒状部が形成され、この筒状部によって、締め付け時に生じるボルトの軸力と上記弾性力とが上記座面の外周側に分散させられるものであることを特徴とする緩み止めナット。
【請求項２】
上記筒状部は、その直径が上記ねじ穴の谷径に０〜１．０mm加えたものであり、且つ、その高さが上記雌ねじの１．５〜３ピッチ分であることを特徴とする請求項１記載の緩み止めナット。
【請求項３】
上記ナットは、その外周が軸方向に同一の形状大きさをなす６角ナットであることを特徴とする請求項１又は２記載の緩み止めナット。
【請求項４】
上記ナットは、その自由端側の外周が軸方向に同一の形状大きさをなす６角柱状であり、座面側の外周が座面側に向かうに従って徐々に大きくなるスカート６角ナットであることを特徴とする請求項１又は２記載の緩み止めナット。
【請求項５】
請求項１〜４の何れかに記載の緩み止めナットと、上記ねじ穴に螺合するボルトとからなるボルト・ナットの締結構造。
【考案の詳細な説明】
【技術分野】
【０００１】
本願考案は、緩み止めナット及びボルト・ナットの締結構造に関するものである。
【背景技術】
【０００２】
本願考案者は、特許文献１や２に示すようにナット本体の追い側の自由面に弾性体が取り付けられた緩み止めナットを長年に渡り提供している。この緩み止めナットは、上記弾性体が上記ねじ穴に突出する係合片を備えたものであり、上記係合片がねじ穴に螺合するボルトの雄ねじに係合して上記自由面から遠ざかる方向に弾性変形することにより、雄ねじに軸方向の弾性力を付加して緩み止め作用を発揮するものである。
【先行技術文献】
【特許文献】
【０００３】
【特許文献１】実開平０６−３５６３７号公報
【特許文献２】実公平７−４０７２４号公報
【考案の概要】
【考案が解決しようとする課題】
【０００４】
本願考案は、従来のナット本体の追い側の自由面に弾性体が取り付けられた緩み止めナットを改良し、より有効な緩み止め作用を発揮することができる緩み止めナット及びボルト・ナットの締結構造を提供せんとするものである。
【課題を解決するための手段】
【０００５】
本願の請求項１に係る考案は、中央にねじ穴を有するナット本体と、上記ナット本体に取り付けられた緩み止め用の弾性体を備えた緩み止めナットにおいて、
上記ナット本体の追い側の自由面に上記弾性体が取り付けられたものであり、
上記弾性体は、上記ねじ穴に突出する係合片を備え、
上記係合片は、ねじ穴に螺合するボルトの雄ねじに係合して上記自由面から遠ざかる方向に弾性変形することにより、雄ねじに軸方向の弾性力を付加して緩み止め作用を発揮するものであり、
上記ねじ穴の座面側に無ねじ状の筒状部が形成され、この筒状部によって、締め付け時に生じるボルトの軸力と上記弾性力とが上記座面の外周側に分散させられるものであることを特徴とする緩み止めナットを提供する。
【０００６】
本願の請求項２に係る考案は、上記筒状部は、その直径が上記ねじ穴の谷径に０〜１．０mm加えたものであり、且つ、その高さが上記雌ねじの１．５〜３ピッチ分であることを特徴とする請求項１記載の緩み止めナットを提供する。
【０００７】
本願の請求項３に係る考案は、上記ナットは、その外周が軸方向に同一の形状大きさをなす６角ナットであることを特徴とする請求項１又は２記載の緩み止めナットを提供する。
【０００８】
本願の請求項４に係る考案は、上記ナットは、その自由端側の外周が軸方向に同一の形状大きさをなす６角柱状であり、座面側の外周が座面側に向かうに従って徐々に大きくなるスカート６角ナットであることを特徴とする請求項１又は２記載の緩み止めナットを提供する。
【０００９】
本願の請求項５に係る考案は、請求項１〜４の何れかに記載の緩み止めナットと、上記ねじ穴に螺合するボルトとからなるボルト・ナットの締結構造を提供する。
【考案の効果】
【００１０】
本願考案は、ボルト・ナットの締め付け時に生じるボルトの軸力に加えて、弾性体の弾性力がナットの座面に作用する際、無ねじ状の筒状部を座面側に形成しておくことによって、ボルトの軸力と弾性体の弾性力との合力が、上記座面の外周側に分散させることができる。
【００１１】
このように、螺旋状の雄ねじと雌ねじの螺合とは離れた外周側に圧力が分散される結果、その力は螺子構造とは離れた外周側で均一に分散され、座面全体で略均一に被締結物に対して作用する。これにより、従来の弾性体を備えた締結構造よりも、より効果的に緩み止めの防止効果が発揮される。
【図面の簡単な説明】
【００１２】
【図１】本願考案の一実施の形態に係るボルト・ナットの締結構造の断面図。
【図２】同実施の形態に係るナットを示すもので、（Ａ）は平面図、（Ｂ）は正面図。
【図３】同実施の形態に係るナットに装着された弾性体の平面図。
【図４】本願考案の他の実施の形態に係るボルト・ナットの締結構造の断面図。
【図５】同実施の形態に係るナットを示すもので、（Ａ）は平面図、（Ｂ）は正面図。
【考案を実施するための形態】
【００１３】
以下、図１〜図３を参照して本願考案の第１の実施の形態を説明する。
【００１４】
この実施の形態のボルト・ナットの締結構造は、ボルト１１の軸部１２とナット２０とを螺合する構造であり、被締結物４１はボルト１１の頭部１４と、ナット２０の座面２４との間に挟まれた状態となり、ボルト１１とナット本体２１を締めつけることによって、軸力が発生してボルトナットの締結がなされる。ボルト１１及びナット本体２１の形状は適宜変更できるが、この例では６角のボルト・ナットを採用している。
このボルト１１は、通常のボルトを用いることができ、雄ねじ１３を備えた軸部１２と、必要に応じて軸部１２の端部に設けられる頭部１４とを備える。
ナット２０は、ナット本体２１と、ナット本体２１に取り付けられた弾性体３１とを備える。
【００１５】
ナット本体２１は、中央にねじ穴を有するもので、図示下方に座面２４を備える。ねじ穴には雌ねじ２２が形成されているが、その座面２４側に無ねじ状の筒状部２３が形成されている。この筒状部２３の内径は、雌ねじ２２の谷径に０〜１．０mm加えた程度が好ましく、ボルト１１の雄ねじ１３の呼び径に０〜０．５mm加えた程度がより好ましい。また、筒状部２３の高さ（軸方向長さ）は、座面２４から雄ねじ１３の１．５〜３ピッチ分であることが好ましい。
【００１６】
ナット本体２１の座面２４と反対側の自由端側の面（図の上面）には、弾性体３１が取り付けられている。この弾性体３１は図３に示すように、平面視環状の薄板状をなし、バネ鋼等の弾性を有する金属によって構成されている。この弾性体３１は、その外周側が固定部３２として、ナット本体２１のかしめ部２５によってかしめられて固定されている。内周側には、適宜数（この例では２片）の係合片３３が径内方向に向かって突出している。この係合片３３の内径は、雌ねじ２２の山径に等しいか、山径よりも僅かに大きいことが望ましいが、雌ねじ２２の谷径よりも小さい必要がある。
【００１７】
このボルト・ナットの締結状態にあっては、ボルト１１とナット本体２１の被締結物４１に対する締付によって軸力が発生する。また、弾性体３１が雄ねじ１３と係合して弾性変形することによって、その弾性力がナット本体２１に軸方向に加わる。これらの軸力と弾性力は、座面２４から被締結物４１に対して加わるが、筒状部２３が形成されるによって、これらの力は座面２４の外周側に分散させられることとなる。このように、螺旋状の雄ねじ１３と雌ねじ２２との螺合とは離れた外周側に圧力が分散される結果、その力は螺子構造とは離れた外周側で均一に分散され、座面２４全体で略均一に被締結物４１に対して作用する。これにより、従来の弾性体３１を備えた締結構造よりも、より効果的に緩み止めの防止効果が発揮される。
【００１８】
次に、図４及び図５は他の実施の形態を示すものである。この実施の形態に係るナット２０のナット本体２１は、その自由端側（上側）の外周が軸方向に同一の形状大きさをなす６角柱状であり、座面２４の外周が座面側に向かうに従って徐々に大きくなるスカートスカート部２６を備えたスカート６角ナットである。他の構造は、先の例と同様である。先の例では、筒状部２３を設けた分、座面２４の面積が小さくなるが、この例では、スカート部２６を設けることによって、座面２４の面積が大きくなり、より有効に緩み止め効果が発揮され得る。
上記の実施の形態の他、本願考案は種々変更して実施し得るもので、たとえば、弾性体３１の係止片３２は２個に限らず、１個や３個以上でもよい。また、ねじは２条ねじであってもよい。ナット本体２１の断面形状は６角形に限らず、４角形等の他の多角形や、場合によっては楕円形や円形であってよい。
【符号の説明】
【００１９】
１１  ボルト
１２  軸部
１３  雄ねじ
１４  頭部
２０  ナット
２１  ナット本体
２２  雌ねじ
２３  筒状部
２４  座面
２５  かしめ部
２６  スカート部
３１  弾性体
３２  固定部
３３  係合片
４１  被締結物
【図１】
0003163716.tif 000003
【図２】
0003163716.tif 000004
【図３】
0003163716.tif 000005
【図４】
0003163716.tif 000006
【図５】
0003163716.tif 000007